(57)【要約】【課題】ＬＥＤを用いつつ高い正面輝度を有すると共に輝度の均一性に優れた面状照明装置、及びその面状照明装置を用いた光源ユニットを提供する。【解決手段】本発明に係る面状照明装置１０は、基端部側の側端面（入光面）１１ｃから先端部側の側端面１１ｄに向かって厚みが減少する楔形の断面を有する導光板１１と、導光板１１の入光面１１ｃに対向させて配置したＬＥＤ１２と、一側面を導光板１１の入光面１１ｃに対向させ、側面１１ｃの反対側の一側面１１ｄをＬＥＤ１２に対向させて、導光板１１の入光面１１ｃとＬＥＤ１２との間に介在する集光体１３とを備え、集光体１３の、導光板１１の入光面１１ｃに対向する側面１３ｃには、導光板１１の厚み方向に延在するプリズム群からなるリニアフレネルレンズ１４が設けられており、導光板１１の反射面１１ｂには、入光面１１ｃの長手方向と略平行に延在する多条のプリズム１６が設けられている。【選択図】図１
2007073469.tif 000002
【特許請求の範囲】
【請求項１】
基端部側の側端面から先端部側の側端面に向かって厚みが減少する楔形の断面を有する導光板と、該導光板の前記基端部側の側端面に対向させて配置したＬＥＤと、一側面を前記導光板の基端部側の側端面に対向させ、前記一側面の反対側の一側面を前記ＬＥＤに対向させた、前記導光板の基端部側の側端面と前記ＬＥＤとの間に介在する集光体とを備え、
前記集光体の、前記導光板の基端部側の側端面に対向する側面には、前記導光板の厚み方向に延在するプリズム群からなるリニアフレネルレンズが設けられており、
前記導光板の出射面と対向する主面には、前記導光板の基端部側の側端面の長手方向と略平行に延在する多条のプリズムが設けられていることを特徴とする面状照明装置。
【請求項２】
前記導光板の基端部側の側端面の長手方向と略平行に延在する多条のプリズムは、断面が部分円筒状の凸条であることを特徴とする請求項１に記載の面状照明装置。
【請求項３】
前記導光板の出射面にはプリズムシートが配置されており、該プリズムシートの前記出射面に対向する面には、前記導光板の基端部側の側端面の長手方向と略平行に延在する多条の三角プリズムが設けられていることを特徴とする請求項１または２に記載の面状照明装置。
【請求項４】
前記集光体の、前記導光板の基端部側の側端面に対向する側面と前記ＬＥＤに対向する側面との間の幅は、前記リニアフレネルレンズの焦点距離に略一致することを特徴とする請求項１から３のいずれか１項に記載の面状照明装置。
【請求項５】
電極を形成した一対の基板間に液晶を保持してなる液晶パネルと、該液晶パネルの背後に配置された請求項１から４のいずれか１項に記載の面状照明装置とを備えることを特徴とする光源ユニット。
【発明の詳細な説明】
【技術分野】
【０００１】
本発明は、面状照明装置及びそれを用いた光源ユニットに関し、特に、ヘッドアップディスプレイで好適に使用される光源ユニットに関する。
【背景技術】
【０００２】
近年、航空機や車両の運転者等に対して、その前方視野内に画像情報を提供する手段としてヘッドアップディスプレイ（Ｈｅａｄ Ｕｐ Ｄｉｓｐｌａｙ：ＨＵＤ）が用いられるようになっている。図６は、車載用のＨＵＤを例として、その構成を模式的に示す図である。図６において、ＨＵＤ１００は、インストルメントパネル１０１の内部に配置された光源ユニット１１０と投射光学系１０４とを備えている。通常、光源ユニット１１０は透過型の液晶パネル１０３とその背後に配置された照明装置１０２とからなり、光源ユニット１１０により生成された画像情報Ｏは、図示の例では凹面ミラー１０４からなる投射光学系によってウインドシールド１０５に投影され、運転者Ｄは、その虚像画像Ｉを視認することで、運転状態からほとんど視線を動かすことなく情報を読み取ることができる。
【０００３】
図７は、このようなＨＵＤ１００における光源ユニット１１０の従来の構成例を示す断面図である（例えば、特許文献１及び特許文献２参照）。図７において、光源ユニット１１０は、液晶パネル１０３と、液晶パネル１０３を背後から照明するための照明装置１０２とを備えており、その光源としては、例えば超高圧水銀ランプ等の放電灯１１４が使用されている。また、放電灯１１４の背後には光反射板１１５が配置され、放電灯１１４と液晶パネル１０３との間には、放電灯１１４からの光を散乱させて面状に発光させるための拡散板１１７、および、放電灯１１４から発生する熱線を遮蔽するための熱線カットガラス１１６が配置されている。
【０００４】
【特許文献１】実開平６−６８９５７号公報
【特許文献２】特開平８−２３８９５５号公報
【発明の開示】
【発明が解決しようとする課題】
【０００５】
上述したようなＨＵＤの光源ユニットにおいて、その照明装置の光源として放電灯を使用することには次のような問題がある。すなわち、放電灯を点灯させるためには、高電圧を発生する駆動回路が必要となるため装置構成が大型化する。また、放電灯は発熱量が大きいため、多くの場合、例えば放熱ファン等を組み込む等の放熱対策を施す必要があると共に、消費電力を低減することが困難である。このような問題のため、従来、車載用のＨＵＤは、主に搭載スペースに余裕のある大型車や一部の限定車両に搭載されるに留まっている。このような問題を解決するためには、ＨＵＤの光源ユニットにおける照明装置として、駆動回路の簡略化を図ることが可能であり、かつ、放電灯と比較して消費電力及び発熱量も少ないＬＥＤを用いた面状照明装置を用いることが好ましい。
【０００６】
ＬＥＤを用いた従来の典型的な面状照明装置の構成を図８に示す。図８において、面状照明装置１２０は、透光性を有する導光板１２１と、導光板１２１の一側端面１２１ｃに配置されたＬＥＤ１２２を備え、導光板１２１の出射面１２１ａ上には、光を拡散して均一化するための拡散シート１２３、光を集光して正面輝度を向上させるためのプリズムシート１２４、１２５が積層されている。また、導光板１２１の裏面１２１ｂには、通常、光を拡散反射するためのパターンが形成されており、導光板の裏面１２１ｂから漏れる光を反射して導光板１２１に戻すための反射板１２６が配置されている。このような面状照明装置１２０において、光源１２２から導光板１２１に入射した光は、導光板１２１内を全反射を繰り返しながら伝播しつつ、一部の光が出射面１２１ａから出射することによって、液晶パネル１０３を均一に照明するものである。
【０００７】
なお、プリズムシート１２４、１２５は、その一面側に多条の三角プリズムが形成されてなるものであり、２枚のプリズムシート１２４、１２５は、それぞれの三角プリズムが互いに直交し、かつ、各プリズムシート１２４、１２５におけるプリズム形成面が液晶パネル１０３側を向くように積層されている。
【０００８】
しかしながら、このような面状照明装置１２０は、その出射光の配光分布が広いために正面輝度が低いという問題を有しており、例えば図７に示す光源ユニット１１０において照明装置１０２を面状照明装置１２０に単に代替することでは、ＨＵＤにおける光源ユニットの照明装置として十分な輝度を得ることは困難である。
【０００９】
本発明は、上記課題に鑑みてなされたものであり、その目的とするところは、ＬＥＤを用いつつ高い正面輝度を有すると共に輝度の均一性に優れた面状照明装置、及びその面状照明装置を用いた光源ユニットを提供することである。
【課題を解決するための手段】
【００１０】
上記課題を解決するための、本発明に係る面状照明装置は、基端部側の側端面から先端部側の側端面に向かって厚みが減少する楔形の断面を有する導光板と、該導光板の前記基端部側の側端面に対向させて配置したＬＥＤと、一側面を前記導光板の基端部側の側端面に対向させ、前記一側面の反対側の一側面を前記ＬＥＤに対向させた、前記導光板の基端部側の側端面と前記ＬＥＤとの間に介在する集光体とを備え、前記集光体の、前記導光板の基端部側の側端面に対向する側面には、前記導光板の厚み方向に延在するプリズム群からなるリニアフレネルレンズが設けられており、前記導光板の出射面と対向する主面には、前記導光板の基端部側の側端面の長手方向と略平行に延在する多条のプリズムが設けられていることを特徴とする。
【００１１】
本発明によれば、基端部側の側端面から先端部側の側端面に向かって厚みが減少する楔形の断面を有する導光板の、基端部側の側端面から光を入射させ、その入射光を導光板の厚みが減少する方向に伝播させることによって、伝播の過程で導光板の出射面から出射する光の、導光板の基端部側の側端面（以下、入光面という）に対して垂直方向（以下、単に垂直方向という）の配光分布を狭くすることができる。さらに、導光板の入光面とＬＥＤとの間に集光体を介在させ、この集光体の、導光板の入光面に対向する側面に、導光板の厚み方向に延在するプリズム群からなるリニアフレネルレンズを設けたことにより、ＬＥＤから放射状に出射される光を屈折させて集光し、導光板の主面方向から見て略平行な光に変換することが可能となるため、導光板の入光面に対して平行方向（以下、水平方向という）の配光分布を狭くすることができる。したがって、導光板からの出射光は、導光板の出射面から所定の方向に高い指向特性をもって出射されることになり、輝度分布のピーク値を向上させることができる。本発明に係る面状照明装置は、その輝度分布がピーク値をとる方向を正面として利用することによって、例えばヘッドアップディスプレイの光学系において、十分高い照明輝度を有する面状照明装置を実現するものである。
【００１２】
さらに、前記導光板の出射面と対向する主面には、前記導光板の基端部側の側端面（入光面）の長手方向と略平行に延在する多条のプリズムが設けられていることによって、導光板内部を伝播する光が導光板の出射面と対向する主面（以下、反射面という）で反射する際に、上述した水平方向の配光分布に全く影響を与えることなく、垂直方向にのみ拡散されるため、導光板の垂直方向の輝度むらを解消することができる。
この際、垂直方向の拡散を僅かなものとして、出射光の垂直方向の配光分布にほとんど影響を与えることなく反射させるためには、水平方向に延在する多条のプリズムを、断面が部分円筒状の凸条とすることが好ましい。
【００１３】
本発明の一態様では、前記導光板の出射面にはプリズムシートが配置されており、該プリズムシートの前記出射面に対向する面には、前記導光板の基端部側の側端面の長手方向と略平行に延在する多条の三角プリズムが設けられているものであり、これによって、導光板の出射光の垂直方向および水平方向の配光分布を広げることなく、輝度分布がピーク値をとる方向のみを、導光板の出射面に対して略垂直方向に変換させることができる。これによって、例えばヘッドアップディスプレイの光学系において十分高い照明輝度を有する面状照明装置を実現するための、設計の自由度が増大するものである。
【００１４】
また、本発明の一態様では、前記集光体の、前記導光板の基端部側の側端面に対向する側面と前記ＬＥＤに対向する側面との間の幅は、前記リニアフレネルレンズの焦点距離に略一致するものであり、これによって、ＬＥＤから放射状に出射される光の水平方向の配向分布を狭くするための適切な位置に、ＬＥＤを容易かつ確実に配置することができる。
【００１５】
また、本発明の別の一態様では、電極を形成した一対の基板間に液晶を保持してなる液晶パネルと、該液晶パネルの背後に配置された本発明に係る面状照明装置とを備える光源ユニットを提供するものである。
【発明の効果】
【００１６】
本発明は、このように構成したので、ＬＥＤを光源として使用したサイドライト方式の面状照明装置において、輝度ムラを発生させることなくその正面輝度を向上させることが可能になる。また、液晶パネルと、液晶パネルの背後に配置された本発明に係る面状照明装置により、ヘッドアップディスプレイで使用可能な高輝度の光源ユニットを構成することが可能になるため、ヘッドアップディスプレイの小型化及び低消費電力化に寄与すると共に、光源ユニットに必要な放熱手段を簡素化することができる。
【発明を実施するための最良の形態】
【００１７】
以下、本発明の実施の形態を添付図面に基づいて説明する。
図１は、本発明の第１の実施形態における照明装置の要部を示す図であり、（ａ）は正面図、（ｂ）は側面図、（ｃ）は（ｂ）のＡ部拡大図である。
【００１８】
図１に示す面状照明装置１０は、導光板１１と、２個のＬＥＤ１２と、集光体１３とを備えている。面状照明装置１０において、導光板１１は、例えばポリカーボネート樹脂を射出成形してなる板状の導光体であり、その基端部側の側端面（以下、入光面という）１１ｃから先端部側の側端面１１ｄに向かって厚みが減少する楔形の断面を有するように形成されている。また、集光体１３は、導光板１１と同様に例えばポリカーボネート樹脂を射出成形してなる透光性部材であり、略角柱状に形成されて、その一側面１３ｃを導光板１１の入光面１１ｃに対向させて配置されている。本実施形態において、ＬＥＤ１２は、集光体１３の側面１３ｃとは反対側の側面１３ｄに配置されており、集光体１３を介して導光板１１の入光面１１ｃに対向している。
【００１９】
集光体１３の、導光板１１の入光面１１ｃに対向する側面１３ｃには、導光板１１の厚み方向（以下、Ｚ方向ともいう）に延在するプリズム群からなるリニアフレネルレンズ１４が、各ＬＥＤ１２に対応してそれぞれ設けられている。ここで、リニアフレネルレンズ１４は、それを構成する個々のプリズムの屈折面の集合により、一枚の円筒型レンズを構成する曲面を実現するものであり、そのような円筒型レンズと同様の作用を有するものである。本実施形態において、集光体１３の側面１３ｃと側面１３ｄとの間の幅寸法ｄは、リニアフレネルレンズ１４の焦点距離に略一致するように形成されている。
【００２０】
なお、本発明に係る面状照明装置において、リニアフレネルレンズ１４は、集光体１３と一体に成形されるものであってもよく、または、集光体１３とは別体の部材として形成されて、集光体１３に固着されるものであってもよい。また、集光体１３において、側面１３ａのＬＥＤ１２に対向する箇所に、集光体１３内に放射状に広がる光の放射角またはその輝度分布あるいはその両方を調整するための入光プリズムを設けてもよい。
【００２１】
ここで、導光板１１の出射面１１ａと対向する主面（以下、反射面という）１１ｂには、導光板１１の入光面１１ｃの長手方向（以下、Ｘ方向ともいう）と略平行に延在する多条のプリズム１６が設けられており、反射面１１ｂの背面には、図１（ｂ）に示すように、正反射手段である反射板１５が配置されており、この反射板は、例えば銀等の金属を蒸着したフィルム、鏡面加工を施したアルミ板等の金属板、あるいは、ポリマー薄膜の多層構造からなる反射層を備えたフィルム等からなるものであってもよい。
【００２２】
また、図１（ｃ）に示すように、反射面１１ｂに設けられた多条のプリズム１６は、断面が部分円筒状の凸条１６からなり、これらの凸条１６によりいわゆるレンチキュラーレンズを構成している。
【００２３】
次に、図１および図２を参照して、本実施形態における面状照明装置１０の作用について説明する。ここで、図２は、反射面１１ｂに設けられた凸条１６の作用を説明するために面状照明装置１０の側面を示した図である。ただし、図２では、導光板１１の反射面１１ｂは平坦面として構成され、図１（ｃ）に示すような凸条１６は設けられていないものとする。
【００２４】
先ず、図１（ｂ）に示すように、ＬＥＤ１２からの出射光Ｐは、導光板１１の入光面１１ｃから導光板１１内部に入射し、出射面１１ａと反射面１１ｂとの間で反射を繰返しつつ側端面１１ｄに向かって伝播するものであるが、楔型に形成された導光板１１の出射面１１ａと反射面１１ｂは傾斜角θでもって互いに傾斜しているため、導光板１１の反射面１１ｂで反射されて出射面１１ａに入射する光の入射角は、反射を繰返すことにより少しずつ小さくなっていき、やがて、臨界角を下回る入射角で出射面１１ａに入射した光の一部が、例えば出射光Ｌとして、入射角に応じた所定の角度φをもって出射面１１ａから出射することになる。
【００２５】
このとき、本実施形態における導光板１１において、その傾斜角θは比較的小さく設定される（例えば、０°＜θ＜５°の範囲内）ものであり、それによって、出射面１１ａのほぼ全面に渡って、多くの光が臨界角を僅かに下回る程度の入射角で出射面１１ａに入射することになる。その結果、出射光の、導光板１１の入光面１１ｃに対して垂直方向の（すなわち、ＹＺ平面における）配光分布を狭くすることができる。言い換えれば、導光板の出射面１１ａから出射される光Ｌを、ＹＺ平面内においてφ方向に高い指向性をもって出射させることができる。
【００２６】
ここで、導光板１１がこのような作用を有するためには、その反射面１１ｂは完全な平坦面とすることが好ましいが、反射面１１ｂを完全な平坦面とすることには、次のような問題がある。すなわち、図２に示すように、ＬＥＤ１２から集光体１３の側面１３ｄに入射する光の輝度分布に明暗の差が存在する場合、反射面１１ｂが完全な平坦面であると、光路Ｐ１（明部）と光路Ｐ２（暗部）の配置関係が出射面１１ａからの出射光の明暗の差となってそのまま反映されることになり、これが輝度むらの要因となる。
【００２７】
そこで、本実施形態では、図１（ｃ）に示すように、反射面１１ｂを完全な平坦面とするのではなく、Ｘ方向に延在する多条のプリズム１６を設けたものである。これによって、導光板１１に入射した光は、出射面１１ａと反射面１１ｂとの間で反射を繰返す過程で、ＹＺ平面内における方向が僅かに拡散されるため、図２に示す光路Ｐ１、Ｐ２のような輝度むらを解消することができる。ここで、多条のプリズム１６による輝度むらの解消作用は、上述した出射光の高い指向性を損なわない程度にバランスをとることが望ましく、例えば、断面円筒型の各プリズム１６において、断面の外形を構成する円弧の半径Ｒ＝１．３ｍｍ、また、隣接する円弧が接する点においてその円弧がＹ方向となす角α＝２°とすることができる。
【００２８】
なお、このように、導光板１１の反射面１１ｂにある程度の拡散性を持たせたことによって、出射面１１ａの入光面１１ｃ側の領域（図１（ｂ）に示す領域Ｂ）に漏れ光が発生する場合には、反射板１５と同様の反射板によって、この領域Ｂを覆うものであってもよい。また、本実施形態では、図１（ａ）に示すように、導光板１１の反射面１１ｂの全面に多状のプリズム１６を設けるものとしたが、この多条のプリズム１６は、必ずしも反射面１１ｂの全面に設ける必要はなく、導光板１１の形状によっては、反射面１１ｂのうち入光面１１ｃ側の領域にのみ設ける構成としても、その目的を達成することができる。
【００２９】
ここで、再び図１（ａ）を参照すると、本実施形態において、ＬＥＤ１２は、集光体１３の側面１３ｄに配置されており、ＬＥＤ１２からの出射光Ｐは放射状に出射されて集光体１３に入射するものである。ここで、面状照明装置１０では、集光体１３の側面１３ｃに導光板１１の厚み方向に延在するプリズム群からなるリニアフレネルレンズ１４が設けられており、また、集光体１３の幅ｄがリニアフレネルレンズ１４の焦点距離に略一致しているため、ＬＥＤから放射状に出射された光Ｐは、このリニアフレネルレンズ１４の作用によって（ＸＹ面内において）屈折して集光され、図１（ａ）の正面図で見て略平行な光Ｐ´に変換されるものである。これによって、導光板１１の出射面１１ａからの出射光の、入光面１１ｃに対して平行な方向の（すなわち、ＸＺ平面における）配光分布を狭くすることができる。言い換えれば、導光板の出射面１１ａから出射される光Ｌ（図１（ｂ）参照）を、Ｙ方向に高い指向性をもって出射させることができる。
なお、導光板１１の反射面１１ｂに形成された多条のプリズム１６は、Ｘ方向に延在するものであるため、ＸＺ平面におけるこの配光分布の特性には影響を及ぼさない。
【００３０】
このようにして、本実施形態における面状照明装置１０において、導光板１１からの出射光は、導光板１１の出射面１１ａから所定の方向（すなわち、ＹＺ平面内でφ方向）に高い指向特性をもって出射されることになり、その方向における輝度分布のピーク値を増大させるものである。
【００３１】
次に、図３を参照して本発明の第２の実施形態における面状照明装置２０を説明する。ただし、以下の説明において、上述した第１の実施形態と同一または同様の部分には同一の符号を付して参照し、重複する部分の説明は適宜省略して相違点について説明する。
【００３２】
図３は、本実施形態における面状照明装置２０の要部を示す側面図である。面状照明装置２０は、上述した面状照明装置１０と基本的に同様の構成および作用を有するものであり、導光板１１の光出射面１１ａにプリズムシート１７が配置されている点のみが相違するものである。
【００３３】
本実施形態において、プリズムシート１７は、一面１７ａ側に多条の三角プリズムが形成されてなるものであり、三角プリズムの延在する方向を導光板１１の入光面１１ｃの長手方向（Ｘ方向）に一致させ、この三角プリズムが形成されたプリズム面１７ａを導光板１１の出射面１１ａに対向させて配置されている。このようなプリズムシート１７は、導光板１１の出射光の、上述した垂直方向（ＹＺ平面内）および水平方向（ＸＺ平面内）の配光分布を広げることなく、その出射方向のみを導光板の出射面１１ａに対して略垂直となるように変換するものである。このとき、例えばプリズムシート１７が有する三角プリズムの頂角γおよび導光板１１の傾斜角θ等に応じて出射光Ｌの出射角Ψを制御することができるため、例えばヘッドアップディスプレイの光学系において、十分高い照明輝度を有する面状照明装置を実現するための、設計の自由度が増大するものである
【００３４】
なお、プリズムシート１７は、必ずしも導光板１１の出射面１１ａの全面を覆う必要はなく、例えば、導光板１１の入光面１１ｃ側の領域Ｂが、全反射により内部に伝播光が閉じ込められて実質的な光出射面としては機能しない場合には、領域Ｂを除いて覆うものであればよい。また、上述した第１の実施形態と同様に、この領域Ｂから漏れ光が発生する場合には、反射板を配置してもよい。
【００３５】
次に、本発明の第３および第４の実施形態として、本発明に係る面状照明装置を用いた光源ユニットを説明する。図４は、本発明の第３の実施形態における光源ユニット３０の要部を示す断面図である。
【００３６】
本実施形態における光源ユニット３０は、液晶パネル３３と、液晶パネル３３の背後に配置された第１の実施形態における面状照明装置１０を備えている。また、面状照明装置１０は、放熱用のアルミニウムプレート３１と共にハウジング３５内に配置されており、アルミニウムプレート３１は、一部を外部に露出させた放熱器３２と結合されている。また、ハウジング３５の前面に配置された支持体３４に組み付けられた液晶パネル３３は、電極を形成した一対の基板間に液晶を保持してなる周知の光変調手段であり、本実施形態における光源ユニット３０は、光変調手段である液晶パネル３３を、その背後から面状照明装置１０で照射することによって、画像情報Ｏを生成するものである。
【００３７】
光源ユニット３０において、面状照明装置１０は、その出射光の高い指向特性により十分な正面輝度を備えた照明装置として機能するものであり、この光源ユニット３０を、例えば車載用のヘッドアップディスプレイのための光源として好適に使用することができる。それによって、ヘッドアップディスプレイの小型化及び低消費電力化に寄与すると共に、その放熱手段は、放熱器３２による自然空冷とすることができるため、放熱手段を簡素化することができる。
【００３８】
また、図５は、本発明の第４の実施形態における光源ユニット４０の要部を示す断面図である。
【００３９】
本実施形態における光源ユニット４０は、液晶パネル３３と、液晶パネル３３の背後に配置された第３の実施形態における面状照明装置２０を備えている。また、面状照明装置２０は、放熱用のアルミニウムプレート３１と共にハウジング４５内に配置されており、アルミニウムプレート３１は、一部を外部に露出させた放熱器３２と結合されている。また、ハウジング４５の前面に配置された支持体３４に組み付けられた液晶パネル３３は、電極を形成した一対の基板間に液晶を保持してなる周知の光変調手段であり、本実施形態における光源ユニット４０は、光変調手段である液晶パネル３３を、その背後から面状照明装置２０で照射することによって、画像情報Ｏを生成するものである。
【００４０】
本実施形態における光源ユニット４０は、上述した光源ユニット３０と同様の作用・効果を有するものであるが、光源ユニット４０では、その面状照明装置２０がプリズムシート１７を備えて出射光の出射角Ψを導光板１１の出射面１１ａに対して略垂直な方向に変換しているため、ハウジング４５をより小型化することができる。
【図面の簡単な説明】
【００４１】
【図１】本発明の第１の実施形態における面状照明装置の要部を示す図であり、（ａ）は正面図、（ｂ）は側面図、（ｃ）は（ｂ）のＡ部拡大図である。
【図２】図１に示す面状照明装置において、その反射面の作用を説明するための側面図である。
【図３】本発明の第２の実施形態における面状照明装置の要部を示す側面図である。
【図４】本発明の第３の実施形態として、図１に示す面状照明装置を備える光源ユニットの要部を示す断面図である。
【図５】本発明の第４の実施形態として、図３に示す面状照明装置を備える光源ユニットの要部を示す断面図である。
【図６】従来のヘッドアップディスプレイの構成を模式的に示す図である。
【図７】図６に示すヘッドアップディスプレイで使用される従来の光源ユニットを示す断面図である。
【図８】ＬＥＤを用いた面状照明装置の従来の構成例を示す側面図である。
【符号の説明】
【００４２】
１０、２０：面状照明装置、１１：導光板、１１ａ：出射面、１１ｂ：反射面、１１ｃ：入光面（基端部側の側端面）、１２：ＬＥＤ、１３：集光体、１４：リニアフレネルレンズ、１６：多条のプリズム
【図１】
2007073469.tif 000003
【図２】
2007073469.tif 000004
【図３】
2007073469.tif 000005
【図４】
2007073469.tif 000006
【図５】
2007073469.tif 000007
【図６】
2007073469.tif 000008
【図７】
2007073469.tif 000009
【図８】
2007073469.tif 000010